(57)【要約】【課題】経鼻的内視鏡検査を行うに際して鼻腔部分の麻酔作業が従来に比べて効率的に実施可能な薬剤塗布用部材及び薬剤塗布システムを提供する。【解決手段】薬剤塗布用部材１０１は、細長い丸棒状で可撓性材料にてなる基材１１０の先端部分１１０−１にバルーン１２０を設け、該バルーンの外表面１２０ａに体腔に塗布する薬剤を含有する薬剤保持部１２５を設けて、鼻腔内の狭孔部及び広孔部に上記薬剤を塗布するように構成した。従って、一つの薬剤塗布用部材にて、狭孔部及び広孔部の両方を麻酔することができる。【選択図】図１
2008188212.tif 000002
【特許請求の範囲】
【請求項１】
細長い丸棒状で可撓性材料にてなる基材であって、当該基材の先端（１１０ａ）から後端（１１０ｂ）側へ向かって当該基材を体腔内へ挿入することで、上記体腔内に存在する狭孔部、広孔部の順に進行する基材（１１０）と、
上記後端から上記基材に沿って延在する気体通路（１１５）と、
上記基材の外表面の全周に設けられ上記気体通路と連通し、上記気体通路を通して気体が供給されることで膨張し、上記狭孔部及び上記広孔部を上記基材の径方向へ押し広げ拡張するとともに薬剤塗布を補助する筒状のバルーン（１２０）と、
上記バルーンの外表面（１２０ａ）に設けられ、上記体腔に塗布する上記薬剤を含有する薬剤保持部（１２５）と、
を備え、上記狭孔部及び広孔部を拡張するとともに上記薬剤を塗布することを特徴とする薬剤塗布用部材。
【請求項２】
上記バルーンは、上記基材の先端部分（１１０−１）に設けられ、上記先端部分が上記狭孔部及び上記広孔部にそれぞれ位置したときに膨張され、上記狭孔部及び上記広孔部の拡張、並びに薬剤塗布の補助を行い、
上記薬剤保持部は、上記バルーンの膨張が無い状態で上記狭孔部よりも小さい太さを有し上記先端部分に設けられ、上記薬剤保持部が上記狭孔部を通過するときに上記バルーンの膨張により上記狭孔部に薬剤を塗布するとともに、上記広孔部に位置するときには上記バルーンの膨張により上記広孔部にも薬剤を塗布する、請求項１記載の薬剤塗布用部材。
【請求項３】
上記バルーンは、上記基材の先端部分（１１０−１）から中間部分（１１０−２）まで連続して設けられ、上記先端部分が上記広孔部に位置したときに膨張され該広孔部を拡張し、かつ上記中間部分が位置する上記狭孔部を拡張し、かつ薬剤塗布の補助を行い、
上記薬剤保持部は、上記バルーンの膨張が無い状態で上記狭孔部の内面に接触可能な太さを有し、かつ上記基材の先端部分のみに設けられ、上記薬剤保持部が上記狭孔部を通過するときに上記狭孔部に薬剤を塗布するとともに上記薬剤保持部が上記広孔部に位置するときには上記バルーンの膨張により上記広孔部にも薬剤を塗布する、請求項１記載の薬剤塗布用部材。
【請求項４】
上記薬剤保持部は、上記先端部分のみならず、上記先端部分から上記中間部分まで連続して設けられる、請求項３記載の薬剤塗布用部材。
【請求項５】
上記後端から上記基材に沿って延在する第２気体通路（１１６）と、
上記先端部分が上記広孔部に位置するときに上記狭孔部に位置する上記基材の中間部分（１１０−２）における上記基材の外表面の全周に設けられ、上記第２気体通路と連通し上記中間部分が上記狭孔部に位置するときに上記第２気体通路を通して気体が供給されることで上記狭孔部を上記基材の径方向へ拡張させるとともに薬剤塗布を補助する筒状の狭孔用バルーン（１２１）と、
上記狭孔用バルーンの外表面（１２１ａ）に設けられ、上記狭孔用バルーンの膨張により上記狭孔部に塗布する薬剤を含有し、上記狭孔用バルーンの膨張が無い状態で上記狭孔部よりも小さい太さを有する狭孔用薬剤保持部（１２８）と、をさらに備えた、請求項２記載の薬剤塗布用部材。
【請求項６】
上記後端から上記基材に沿って上記薬剤保持部へ延在し、上記薬剤保持部へ追加する薬剤を供給する薬剤通路（１３０）をさらに備えた、請求項１から４のいずれかに記載の薬剤塗布用部材。
【請求項７】
上記後端から上記基材に沿って上記薬剤保持部及び上記狭孔用薬剤保持部へ延在し、上記薬剤保持部及び上記狭孔用薬剤保持部へ追加する薬剤を供給する薬剤通路（１３０）をさらに備えた、請求項５記載の薬剤塗布用部材。
【請求項８】
上記薬剤保持部は、吸液性を有する繊維材にてなる、請求項１から４、及び６のいずれかに記載の薬剤塗布用部材。
【請求項９】
上記薬剤保持部及び上記狭孔用薬剤保持部は、吸液性を有する繊維材にてなる、請求項５又は７に記載の薬剤塗布用部材。
【請求項１０】
上記薬剤保持部は、上記バルーンの外表面に形成され薬剤を収納する複数の凹部（１２９−１）を有する、請求項１から４、及び６のいずれかに記載の薬剤塗布用部材。
【請求項１１】
上記薬剤保持部及び上記狭孔用薬剤保持部は、上記バルーン及び上記狭孔用バルーンの外表面に形成され薬剤を収納する複数の凹部（１２９−１）を有する、請求項５又は７に記載の薬剤塗布用部材。
【請求項１２】
上記体腔は鼻腔であり上記薬剤は麻酔薬であり、上記バルーンは、経鼻的内視鏡が鼻腔を通過するに十分な程度に上記狭孔部及び上記広孔部の拡張を行う、請求項１から４、６、８、及び１０のいずれかに記載の薬剤塗布用部材。
【請求項１３】
上記体腔は鼻腔であり上記薬剤は麻酔薬であり、上記バルーンは、経鼻的内視鏡が鼻腔を通過するに十分な程度に上記狭孔部及び上記広孔部の拡張を行い、上記狭孔用バルーンは、経鼻的内視鏡が鼻腔を通過するに十分な程度に上記狭孔部の拡張を行う、請求項５、７、９、及び１１のいずれかに記載の薬剤塗布用部材。
【請求項１４】
上記後端から上記基材に沿って上記先端へ延在し、上記薬剤とは異なる作用を上記体腔へ与える第２薬剤を上記先端から上記体腔へ供給する第２薬剤通路（１３５）をさらに備えた、請求項１から１３のいずれかに記載の薬剤塗布用部材。
【請求項１５】
請求項１から１４のいずれかに記載の薬剤塗布用部材（１０１〜１０３）と、
上記基材の後端側にて上記気体通路にバルブ（１５０）を介して取り付けられ、上記バルーンへ気体を供給する気体供給器具（１６０）と、
を備えたことを特徴とする薬剤塗布システム。
【請求項１６】
上記薬剤塗布用部材が第２気体通路を有するときには、上記気体供給器具は、さらに、上記第２気体通路にバルブ（１５１）を介して取り付けられ、狭孔用バルーンへ気体を供給する、請求項１５記載の薬剤塗布システム。
【請求項１７】
上記薬剤塗布用部材が薬剤通路を有するとき、上記薬剤通路に取り付けられ薬剤保持部へ薬剤を供給する薬剤供給器具（１６２）をさらに備えた、請求項１５又は１６に記載の薬剤塗布システム。
【発明の詳細な説明】
【技術分野】
【０００１】
本発明は、薬剤塗布用部材、及び該薬剤塗布用部材を備えた薬剤塗布用システムに関する。詳しくは、上記薬剤塗布用部材は、例えば、経鼻的内視鏡を鼻腔に挿入する前に鼻腔に挿入される部材である。
【背景技術】
【０００２】
食道、胃のような上部消化管の検査法の一つとして内視鏡を用いる方法が一般化している。該検査では、上記内視鏡は、被験者の口を通して上部消化管へ挿入されるのが一般的である。一方、近年、従来の内視鏡よりも管径が細い極細径内視鏡が開発され、又、検査時における被験者の苦痛等の軽減を図るため、上記極細径内視鏡を、経口に代えて鼻腔経由で上部消化管へ挿入する経鼻的内視鏡検査法も行われ始めている。
【０００３】
経口による内視鏡検査を行う前には咽頭周りの麻酔処理を行うが、上述の経鼻的内視鏡検査法による検査においても、検査前に被験者の鼻腔部分を麻酔する必要がある。一方、鼻腔部分には、図１８に示すように、構造上、鼻腔入口部に相当し比較的通路径の狭い狭孔部５と、中鼻腔介と呼ばれる比較的通路径の広い広孔部６とが存在し、外鼻孔から挿入された内視鏡は、狭孔部５、広孔部６の順に通過して、咽頭を介して上部消化管に達する。よって、上記狭孔部５及び上記広孔部６を麻酔する必要がある。
【０００４】
又、経鼻的内視鏡検査用の内視鏡の直径は、約６ｍｍ又は約５ｍｍであり、経口用に比べ細いが、鼻腔内も狭く、いきなり内視鏡を鼻腔内へ挿入するのは被験者にとって苦痛を伴う。よって、上記麻酔を行うとともに、予め、鼻腔内面を押し広げる、つまり拡張しておくことで、被験者の苦痛を軽減することができる。
【０００５】
現在、上記狭孔部５及び上記広孔部６を麻酔する方法として、まず、図１９の（ａ）に示すような、管径が約４ｍｍ前後の可撓性の小径チューブ１の先端を上記狭孔部５まで挿入し、次に、例えばキシロカイン等の麻酔薬を小径チューブ１の先端から上記狭孔部５に散布して、該狭孔部５の麻酔を行う。
狭孔部が麻酔された後、図１９の（ｂ）に示すような、管径が約６ｍｍ前後の可撓性の大径チューブ２の先端を狭孔部５を通り上記広孔部６まで挿入し、そして、上記麻酔薬を大径チューブ２の先端から上記広孔部６に散布して、該広孔部６の麻酔を行う。
上述のようにして狭孔部５及び広孔部６の両方の麻酔が完了した後、内視鏡を鼻腔に挿入して経鼻的内視鏡検査が開始される。
【非特許文献１】第７１回  日本消化器内視鏡学会総会（H18.5.14〜16 東京）  Vol.48 (Suppl.1) 2006、ＭＶＳ１−１１（経鼻上部消化管内視鏡検査−簡便で安全な前処置法への工夫と改良）
【発明の開示】
【発明が解決しようとする課題】
【０００６】
上述したように経鼻的内視鏡検査を行うに際しての鼻腔部分の麻酔方法は、現在のところ、小径チューブ１及び大径チューブ２を用いて２回の麻酔動作を行っており、看護師にとっては手間を要し時間的及び作業的に不利であり、又、被験者にとっても不快な時間が長くなるという問題がある。
又、上述のように、小径チューブ１及び大径チューブ２は、単に鼻腔部分を麻酔するためのものであり、鼻腔内面を押し広げ拡張することはできない。よって、麻酔されたとは言え、小径チューブ１及び大径チューブ２と同径若しくはより太い経鼻的内視鏡が挿入されたときには被験者に不快感を与えてしまう。この点からも、上述の小径チューブ１及び大径チューブ２を用いる方法では、被験者にとって不快感が大きい。
【０００７】
本発明はこのような問題点を解決するためになされたもので、例えば経鼻的内視鏡検査を行うに際しては鼻腔部分の麻酔作業が従来に比べて効率的に実施可能となり、一般的には、体腔への薬剤の塗布作業が従来に比べて効率的に実施可能であり、かつ被験者への苦痛の軽減を図ることが可能な、薬剤塗布用部材及び薬剤塗布システムを提供することを目的とする。
【課題を解決するための手段】
【０００８】
上記目的を達成するために本発明は以下のように構成する。
即ち、本発明の第１態様における薬剤塗布用部材は、細長い丸棒状で可撓性材料にてなる基材であって、当該基材の先端から後端側へ向かって当該基材を体腔内へ挿入することで、上記体腔内に存在する狭孔部、広孔部の順に進行する基材と、
上記後端から上記基材に沿って延在する気体通路と、
上記基材の外表面の全周に設けられ上記気体通路と連通し、上記気体通路を通して気体が供給されることで膨張し、上記狭孔部及び上記広孔部を上記基材の径方向へ押し広げ拡張するとともに薬剤塗布を補助する筒状のバルーンと、
上記バルーンの外表面に設けられ、上記体腔に塗布する上記薬剤を含有する薬剤保持部と、
を備え、上記狭孔部及び広孔部を拡張するとともに上記薬剤を塗布することを特徴とする。
【０００９】
又、上記バルーンは、上記基材の先端部分に設けられ、上記先端部分が上記狭孔部及び上記広孔部にそれぞれ位置したときに膨張され、上記狭孔部及び上記広孔部の拡張、並びに薬剤塗布の補助を行い、
上記薬剤保持部は、上記バルーンの膨張が無い状態で上記狭孔部よりも小さい太さを有し上記先端部分に設けられ、上記薬剤保持部が上記狭孔部を通過するときに上記バルーンの膨張により上記狭孔部に薬剤を塗布するとともに、上記広孔部に位置するときには上記バルーンの膨張により上記広孔部にも薬剤を塗布するように構成することもできる。
【００１０】
又、上記バルーンは、上記基材の先端部分から中間部分まで連続して設けられ、上記先端部分が上記広孔部に位置したときに膨張され該広孔部を拡張し、かつ上記中間部分が位置する上記狭孔部を拡張し、かつ薬剤塗布の補助を行い、
上記薬剤保持部は、上記バルーンの膨張が無い状態で上記狭孔部の内面に接触可能な太さを有し、かつ上記基材の先端部分のみに設けられ、上記薬剤保持部が上記狭孔部を通過するときに上記狭孔部に薬剤を塗布するとともに上記薬剤保持部が上記広孔部に位置するときには上記バルーンの膨張により上記広孔部にも薬剤を塗布するように構成することもできる。
【００１１】
又、上記薬剤保持部は、上記先端部分のみならず、上記先端部分から上記中間部分まで連続して設けるように構成することもできる。
【００１２】
又、上記後端から上記基材に沿って延在する第２気体通路と、
上記先端部分が上記広孔部に位置するときに上記狭孔部に位置する上記基材の中間部分における上記基材の外表面の全周に設けられ、上記第２気体通路と連通し上記中間部分が上記狭孔部に位置するときに上記第２気体通路を通して気体が供給されることで上記狭孔部を上記基材の径方向へ拡張させるとともに薬剤塗布を補助する筒状の狭孔用バルーンと、
上記狭孔用バルーンの外表面に設けられ、上記狭孔用バルーンの膨張により上記狭孔部に塗布する薬剤を含有し、上記狭孔用バルーンの膨張が無い状態で上記狭孔部よりも小さい太さを有する狭孔用薬剤保持部と、をさらに備えるように構成することもできる。
【００１３】
又、上記後端から上記基材に沿って上記薬剤保持部へ延在し、上記薬剤保持部へ追加する薬剤を供給する薬剤通路をさらに備えるように構成することもできる。
【００１４】
又、上記後端から上記基材に沿って上記薬剤保持部及び上記狭孔用薬剤保持部へ延在し、上記薬剤保持部及び上記狭孔用薬剤保持部へ追加する薬剤を供給する薬剤通路をさらに備えるように構成することもできる。
【００１５】
又、上記薬剤保持部は、吸液性を有する繊維材にてなるように構成することもできる。
【００１６】
又、上記薬剤保持部及び上記狭孔用薬剤保持部は、吸液性を有する繊維材にてなるように構成することもできる。
【００１７】
又、上記薬剤保持部は、上記バルーンの外表面に形成され薬剤を収納する複数の凹部を有するように構成することもできる。
【００１８】
又、上記薬剤保持部及び上記狭孔用薬剤保持部は、上記バルーン及び上記狭孔用バルーンの外表面に形成され薬剤を収納する複数の凹部を有するように構成することもできる。
【００１９】
又、上記体腔は鼻腔であり上記薬剤は麻酔薬であり、上記バルーンは、経鼻的内視鏡が鼻腔を通過するに十分な程度に上記狭孔部及び上記広孔部の拡張を行うように構成することもできる。
【００２０】
又、上記体腔は鼻腔であり上記薬剤は麻酔薬であり、上記バルーンは、経鼻的内視鏡が鼻腔を通過するに十分な程度に上記狭孔部及び上記広孔部の拡張を行い、上記狭孔用バルーンは、経鼻的内視鏡が鼻腔を通過するに十分な程度に上記狭孔部の拡張を行うように構成することもできる。
【００２１】
又、上記後端から上記基材に沿って上記先端へ延在し、上記薬剤とは異なる作用を上記体腔へ与える第２薬剤を上記先端から上記体腔へ供給する第２薬剤通路をさらに備えるように構成することもできる。
【００２２】
さらに本発明の第２態様における薬剤塗布システムは、上述の第１態様における薬剤塗布用部材と、
基材の後端側にて気体通路にバルブを介して取り付けられ、バルーンへ気体を供給する気体供給器具と、
を備えたことを特徴とする。
【００２３】
上記第２態様において、上記薬剤塗布用部材が第２気体通路を有するときには、上記気体供給器具は、さらに、上記第２気体通路にバルブを介して取り付けられ、狭孔用バルーンへ気体を供給するように構成することもできる。
【００２４】
上記第２態様において、上記薬剤塗布用部材が薬剤通路を有するとき、上記薬剤通路に取り付けられ薬剤保持部へ薬剤を供給する薬剤供給器具をさらに備えるように構成することもできる。
【発明の効果】
【００２５】
本発明の第１態様における薬剤塗布用部材、及び第２態様における薬剤塗布システムによれば、基材に、狭孔部及び広孔部を拡張しかつ薬剤塗布を補助するバルーンを設け、さらに、該バルーンの外表面に、体腔に塗布する薬剤を含有する薬剤保持部を設けたことで、一つの部材にて、狭孔部及び広孔部の両方を拡張させ、かつ薬剤を塗布することができる。したがって、体腔への薬剤の塗布作業を従来に比べて効率的に実施することができ、又、内視鏡検査前に、狭孔部及び広孔部を予め拡張しておくことで、被験者においても、不快な時間の短縮及び苦痛の軽減につながるというメリットがある。
【００２６】
上記薬剤保持部は、狭孔部の内面に対して接触可能な太さを有しても、あるいは狭孔部の内面よりも細くてもどちらでもよい。上記薬剤保持部が狭孔部の内面よりも細い場合には、薬剤塗布用部材の基材の先端部分にバルーン及び薬剤保持部を設け、上記先端部分が狭孔部に配置されたときに、上記バルーンを膨らませることで、薬剤保持部を狭孔部の内面に接触させることができ、狭孔部の内面に薬剤を塗布することが可能である。さらにバルーンを膨らませることで、狭孔部を拡張させることもできる。又、これらの動作は、薬剤保持部が広孔部に位置したときも同様に行われる。該形態では、基材の直径が狭孔部よりも小さいことから、薬剤塗布用部材を体腔へ挿入する際の被験者における苦痛をより軽減することができ、かつ狭孔部及び広孔部の拡張、並びに狭孔部及び広孔部への薬剤塗布を一つの薬剤塗布用部材にておこなうことができる。
【００２７】
一方、上記薬剤保持部が狭孔部の内面に対して接触可能な太さを有する場合には、例えば、バルーンを上記先端部分から基材の中間部分まで連続して設け、薬剤保持部は上記先端部分のみに設ける形態を採ることができる。上記先端部分に設けた薬剤保持部が狭孔部に位置したときには、薬剤保持部が狭孔部の内面に接触して狭孔部を麻酔することができる。又、薬剤保持部が広孔部に位置したときには、バルーンを膨らますことで、広孔部への薬剤塗布及び広孔部の拡張を行うことができ、かつ狭孔部の拡張を行うことができる。このように、当該構成によれば、薬剤塗布用部材の構造を簡素化することができる。
【００２８】
又、上述の、バルーンを上記先端部分から基材の中間部分まで連続して設けた構成において、薬剤保持部も上記先端部分から基材の中間部分まで連続して設ける構造を採ることもできる。該構成によれば、先端部分における薬剤保持部が狭孔部の内面に薬剤を塗布した後、さらに先端部分が広孔部まで進みバルーンの膨張により薬剤が広孔部に塗布されるときにも、基材の中間部分に設けられた薬剤保持部は、狭孔部の内面に接触して薬剤を塗布可能であり、狭孔部の麻酔状態を維持することができる。狭孔部は、内視鏡が最初に接触する部分であることから、狭孔部の麻酔状態を維持することは、被験者の苦痛軽減に寄与する。又、薬剤保持部が狭孔部の内面に対して接触可能な太さを有し、バルーンを先端部分から中間部分まで連続して設けた構成上、バルーンの膨張動作は１回となる。よって、操作が簡易となり、又、処置時間も短くなり、及び被験者における不快さも軽減されるという効果がある。
【００２９】
又、狭孔部に対する薬液保持部の太さの大小を問わないが、好ましくは狭孔部に対して小さい太さにて、薬剤保持部を基材の先端部分と中間部分との２箇所に分離して配置し、さらに上記中間部分における狭孔用薬剤保持部に対応して設けた狭孔用バルーンを設けることで、薬剤塗布用部材を体腔へ挿入する際の被験者における苦痛を軽減するとともに、上記狭孔用薬剤保持部は、狭孔用バルーンの膨張により狭孔部の内面に接触して薬剤を塗布可能である。よって、狭孔部に対しても持続的に薬剤を塗布することができる。
又、薬剤保持部を基材の先端部分と中間部分との２箇所に分離して配置することで、薬剤保持部の設置面積を低減し薬剤塗布用部材の製造コスト低減に寄与可能である。
【００３０】
又、薬剤通路を設けることで、薬剤保持部及び狭孔用薬剤保持部の少なくとも一方に薬剤を追って補充することが可能となる。
【００３１】
又、第２薬剤通路を設けることで、上述の薬剤とは異なる作用を有する第２薬剤を体腔内へ散布することが可能となる。
【００３２】
又、薬剤保持部及び狭孔用薬剤保持部を、吸液性を有する繊維材にて作製することで、簡易かつ低コストにて薬剤保持部及び狭孔用薬剤保持部を作製することができる。
【００３３】
又、薬剤保持部及び狭孔用薬剤保持部は、凹部を有するように構成することで、薬剤の種類によっては上記繊維材による場合に比べて薬剤の保持性能を良好に保つことができる。
【発明を実施するための最良の形態】
【００３４】
本発明の実施形態である薬剤塗布用部材及び該薬剤塗布用部材を備えた薬剤塗布システムについて、図を参照しながら以下に説明する。尚、各図において、同一又は同様の構成部分については同じ符号を付している。又、全図において、各部材は、それらの構造を説明可能なように概略的に図示したもので、図示する各部材の大きさや形状は、実際の物とは相違する。又、図示した構造に限定するものではなく、図示構造に基づき当業者が容易想到な変形例は、本発明の範囲に含まれるものである。
又、本実施形態では、上記薬剤塗布用部材及び上記薬剤塗布システムは、経鼻的内視鏡検査を行うに際して鼻腔部分の麻酔を行うために使用される場合を例に採る。しかしながら、上記薬剤塗布用部材及び上記薬剤塗布システムは、これに限定されるものではなく、体腔内に狭孔部及び広孔部が存在し、狭孔部及び広孔部の順に薬剤を塗布するとともに、狭孔部及び広孔部を押し広げ拡張する必要があるような場合に適用可能である。
【００３５】
まず、薬剤塗布用部材について説明する。
図１には、薬剤塗布用部材の一例を示している。図１に示す薬剤塗布用部材１０１は、基材１１０と、気体通路１１５と、バルーン１２０と、薬剤保持部１２５とを備え、基材１１０の先端部分１１０−１にバルーン１２０及び薬剤保持部１２５を設けた構成にてなる。又、この薬剤塗布用部材１０１では、薬剤塗布用部材１０１において最も太い径となる薬剤保持部１２５を、狭孔部５の空間よりも細くして作製される。
【００３６】
基材１１０は、細長い丸棒状で可撓性材料にてなり、先端１１０ａから後端１１０ｂ側へ向かって当該基材１１０を鼻腔内へ挿入することで、鼻腔内に存在する、図１８に示す狭孔部５、広孔部６の順に進行する。基材１１０の材料としては、鼻腔へ挿入されることから、柔軟性を有しながら腰のある材料が好ましく、例えば、天然ゴム等の弾性部材や、シリコーンゴム、ポリ塩化ビニル、等が使用可能である。被験者のアレルギー等を考慮すると、上記材料は、シリコーンゴムが最適である。又、本実施形態のように鼻腔部分の麻酔を行うために薬剤塗布用部材１０１を使用する場合、基材１１０の長さは、約１５ｃｍとなる。
【００３７】
気体通路１１５は、基材１１０の後端１１０ｂから基材１１０に沿って延在する通路であり、以下に説明するバルーン１２０を膨らませるための気体を供給するための通路である。本実施形態では図示するように、気体通路１１５は、基材１１０内に形成している。しかしながら、通路の形状、形態は、図示の形状、形態に限定されず、例えば、細管を基材１１０の外表面１１０ｃに沿いかつ固定して、あるいは外表面１１０ｃとは分離して基材１１０とは別個に延在させる、等の形態を採ることもできる。
【００３８】
バルーン１２０は、基材１１０の外表面１１０ｃの全周に設けることができ、本例では、基材１１０の先端部分１１０−１の外表面１１０ｃの全周に筒状にてかつ外表面１１０ｃに対して気体密で膨張可能に設けられる。つまり、バルーン１２０を形成する部材は、一例として、基材１１０の外表面１１０ｃの外径とほぼ同じ内径を有する薄い筒状の部材であって、該筒状部材の長手方向の両端部分にて、基材１１０の先端部分１１０−１の外表面１１０ｃに気体密となるように接着される。尚、バルーン１２０の形成方法は、これに限定されるものではない。例えば上記外表面１１０ｃの全周ではなく部分的に設けることもできる。又、上記両端部分を除いたバルーン１２０の例えば中央部分にて、バルーン１２０は上記気体通路１１５と連通する。よって、先端部分１１０−１が上記狭孔部５及び上記広孔部６に位置するときに気体通路１１５を通して気体をバルーン１２０に供給することで、バルーン１２０、詳しくはバルーン１２０の接着部分である上記両端部分を除いたバルーンの非接着部分は、基材１１０の先端部分１１０−１の外表面１１０ｃに対して膨張し、基材１１０の径方向へ狭孔部５及び広孔部６を押し広げ拡張するとともに、薬剤塗布の補助を行う。尚、図１には、二点鎖線にてバルーン１２０の膨張状態を図示している。勿論、膨張形状は、図示するような細長い形状に限定するものではない。膨張状態におけるバルーン１２０の形状は、薬剤を塗布する体腔部分の形状に対応した形状であるのが好ましい。又、バルーン１２０の膨張量は、基材１１０の太さ、及びバルーン１２０を作用させる体腔部の広さに応じて調整されるが、経鼻的内視鏡の直径が約６ｍｍであることから、狭孔部５において、上記６ｍｍを超える径、例えば狭孔部５を２倍弱程度の径寸法に拡張する程度にまで膨張するのが好ましい。あるいは又、バルーン１２０の膨張量として、例えば、非膨張状態におけるバルーン１２０の径寸法に対して２倍程度まで膨張可能な量としてもよい。
【００３９】
又、基材１１０の軸方向に沿ったバルーン１２０部分の長さは、薬剤を塗布する体腔部分の長さに対応する。例えば本実施形態のように鼻腔部分の麻酔を行うために薬剤塗布用部材１０１を使用する場合、バルーン１２０部分の長さは、約６ｃｍ前後となる。
又、バルーン１２０へ供給する気体としては、空気が一般的であるが、その他、酸素、窒素等、医療施設で準備可能で人体に害とならない気体、あるいは液体が使用可能である。バルーン１２０の材料としては、基材１１０と同様に、天然ゴム等の弾性部材や、シリコーンゴム等が好ましく、被験者に対するアレルギー等を考慮すると、シリコーンゴムが好適である。尚、シリコーンゴムをバルーン１２０の材料に使用することで、シリコーンゴム自体の伸縮性が低いことから、所望の膨張形状を比較的容易に得ることができ、上記膨張量の調整も容易となる。又、バルーン１２０の材料は、弾性及び伸縮性を有する材料である必要はなく、基材１１０とともに、柔軟性を有するプラスチック材を用いることもできる。このようなプラスチック材は、成形性に優れる点で好ましい。
【００４０】
薬剤保持部１２５は、バルーン１２０の外表面１２０ａに対して接着剤等にて脱落しないように取り付けられ、上記体腔に塗布する薬剤を含有、保持する部分であり、本実施形態では、吸液性を有する繊維材、例えばガーゼや脱脂綿等が該当する。又、上記薬剤は、液状、半流動状等で薬剤保持部１２５に保持可能な薬であり、本実施形態の場合、例えばキシロカイン等の麻酔薬である。尚、体腔への薬剤塗布用部材１０１の挿入を滑らかにし被験者における苦痛軽減を図るため、薬剤塗布用部材１０１の外表面には、ゼリー等の潤滑剤が塗布される。よって、上記薬剤としては、上記潤滑剤を含ませた薬剤、麻酔薬の場合には、例えばキシロカインゼリー（商品名）等が好ましい。
【００４１】
尚、薬剤保持部１２５は、上述のような吸液性を有する繊維材に限定されず、薬剤を保持可能な構造であればよい。例えば、図１０に示すように、バルーン１２０の外表面１２０ａ、又は基材１１０の外表面１１０ｃに形成され、薬剤を収納する複数の凹部１２９−１を有してもよい。又、図１１に示すように、バルーン１２０の外表面１２０ａ、又は基材１１０の外表面１１０ｃに複数の凸部１２９−２を形成することで、凹部１２９−１を形成してもよい。
【００４２】
尚、外表面１２０ａ、又は基材１１０の外表面１１０ｃにおける凹部１２９−１の配置方法は、特定されるものではなく、規則的に若しくは不規則的に配列され、又、基材１１０の軸方向に沿って形成されても良いし、基材１１０の周方向に沿って形成されてもよい。
【００４３】
基材１１０及び薬剤保持部１２５の外径は、当該薬剤塗布用部材１０１を使用する体腔の狭孔部及び広孔部に合わせて設計される。本実施形態の薬剤塗布用部材１０１の場合、鼻腔の狭孔部５で孔径が約４ｍｍ程度、広孔部６の広い部分で孔径が約６ｍｍ程度の大きさであることから、バルーン１２０が膨張していない収縮状態で、上述のように、最太径となる薬剤保持部１２５の外径で約４ｍｍ未満、例えば約３ｍｍ、バルーン１２０を膨張させた状態で、薬剤保持部１２５の外径で約６ｍｍとなるように、基材１１０、バルーン１２０、及び薬剤保持部１２５の各寸法が決定される。特に、バルーン１２０は、狭孔部５及び広孔部６を拡張させる機能を達成するための膨張性が必要であるが、過剰に膨張すると被験者に苦痛を与えることになることから、必要以上に膨張しないように、形状、材質、寸法等の管理が重要である。
【００４４】
尚、図１、及び以下で説明する図２〜図９、及び図１２〜図１７において、基材１１０の先端１１０ａと、該先端１１０ａに近接するバルーン１２０、１２２の端部とは、若干離れているように図示しているが、実際には、両者は近接している。
【００４５】
以上のように構成される薬剤塗布用部材１０１には、図１２に示すように、基材１１０の後端１１０ｂ側にて、気体通路１１５にバルブ１５０を介して気体供給器具１６０が取り付けられて、薬剤塗布システム１７０が構成される。上記気体供給器具１６０は、気体通路１１５を介してバルーン１２０へ気体を供給しバルーン１２０を膨らませる器具であり、例えば図示のように注射器を用いることができる。上記バルブ１５０は、気体が供給されたバルーン１２０について膨張状態を維持し、一方、薬剤塗布用部材１０１の体腔からの除去時にはバルーン１２０からの排気を可能にするためのものである。
【００４６】
以上のように構成される薬剤塗布用部材１０１を用いた薬剤の塗布及び体腔の拡張方法について、本実施形態では鼻腔の麻酔及び拡張方法について、以下に説明する。
医師又は看護師は、まず、薬剤保持部１２５を麻酔薬に漬ける等を行うことで、薬剤保持部１２５に麻酔薬を含ませ保持させる。又、薬剤保持部１２５を含み基材１１０の外表面１１０ｃには、潤滑剤が塗られる。
次に、被験者の片側の外鼻孔に、薬剤塗布用部材１０１の先端１１０ａを挿入し、薬剤塗布用部材１０１の先端部分１１０−１、つまり薬剤保持部１２５が鼻腔内の狭孔部５に位置する程度まで基材１１０を進める。上述したように薬剤塗布用部材１０１では、薬剤保持部１２５の径は、狭孔部５よりも小さく作製しているので、薬剤保持部１２５が狭孔部５に位置しても効果的に麻酔薬が狭孔部５に塗布されない。又、狭孔部５を押し広げ拡張させる必要もある。よって、薬剤保持部１２５を狭孔部５に位置させたところで、気体供給器具１６０を用いて気体をバルーン１２０へ供給し、狭孔部５を基材１１０の径方向に押し広げ拡張させ、かつ薬剤塗布を補助する程度に、バルーン１２０を膨張させる。よって、薬剤保持部１２５は狭孔部５の内面に接触し内面を押圧し、薬剤保持部１２５に含まれる麻酔薬が狭孔部５に塗布され、作用し、狭孔部５を麻酔させる。
【００４７】
狭孔部５が麻酔された後、バルブ１５０及び気体供給器具１６０を操作して、一旦バルーン１２０から気体を抜き、バルーン１２０を収縮させる。尚、バルーン１２０を収縮させることなく、膨張させた状態でもよい。その後、医師又は看護師は、薬剤塗布用部材１０１の先端部分１１０−１が鼻腔内の広孔部６に位置する程度まで基材１１０をさらに進める。そして、再び、気体供給器具１６０にて、バルブ１５０を介して気体通路１１５に例えば空気を供給し、広孔部６に薬剤保持部１２５が接触し広孔部６を拡張させる程度までバルーン１２０を膨らませる。バルーン１２０の膨張により、薬剤保持部１２５が広孔部６に接触し、薬剤保持部１２５に含まれる麻酔薬が広孔部６に作用し、広孔部６を麻酔させる。同時に、バルーン１２０の膨張により、広孔部６が拡張される。
【００４８】
尚、上述のように、薬剤保持部１２５は、まず狭孔部５に接触していることから、薬剤保持部１２５に含まれている麻酔薬は、若干減少しているが、広孔部６を麻酔させるには十分な量が確保されるように、薬剤保持部１２５の材料、長さ、厚み等が設定されている。
【００４９】
広孔部６が麻酔された後、医師又は看護師は、気体供給器具１６０を外し、バルブ１５０を操作して、バルーン１２０内の気体を抜きバルーン１２０を縮ませる。その後、医師又は看護師は、鼻腔より薬剤塗布用部材１０１を抜き取る。このようにして鼻腔内の麻酔動作及び拡張動作を終了する。そして、経鼻的内視鏡検査へと移る。
【００５０】
以上説明したように、本実施形態の薬剤塗布用部材１０１によれば、一つの部材により、狭孔部５及び広孔部６の両方を麻酔することができ、鼻腔部分の麻酔作業が従来に比べて効率的に実施することができ、被験者における苦痛の軽減を図ることもできる。さらに、薬剤塗布用部材１０１にて、内視鏡検査前に予め狭孔部５及び広孔部６を拡張させておくことから、被験者においても、不快な時間の短縮及び苦痛の軽減につながるというメリットがある。又、薬剤塗布用部材の太さが狭孔部５の孔径よりも細いことから、被験者にとって鼻腔へ異物を挿入する際の違和感が少なく、被験者における苦痛の低減を図ることができる。
【００５１】
尚、上述の実施形態では、説明したように、バルーン１２０を膨張させていない収縮状態において、薬剤保持部１２５は狭孔部５の空間より小さいように、基材１１０、バルーン１２０、及び薬剤保持部１２５の各寸法が定められた。しかしながら、このような形態に限定されず、バルーン１２０を膨張させていない収縮状態において薬剤保持部１２５が狭孔部５の内面に接触可能な太さを有し、これに対応して基材１１０及びバルーン１２０の大きさを決定することもできる。
このような構成では、狭孔部５の拡張動作のため、バルーン１２０を膨らませる必要があるものの、薬剤保持部１２５が狭孔部５に位置したときには、狭孔部５の内面に接触し、薬剤保持部１２５に含まれる麻酔薬が狭孔部５に塗布され、そして作用し、狭孔部５を麻酔させることができる。
【００５２】
又、上述した薬剤塗布用部材１０１の変形例として、図２に示す薬剤塗布用部材１０２を構成することもできる。薬剤塗布用部材１０２は、薬剤塗布用部材１０１と比べて、バルーンを基材１１０の先端部分１１０−１から基材１１０の中間部分１１０−２まで基材１１０の全周に連続して設け、さらに、このようなバルーンの外表面の全周に、先端部分１１０−１から中間部分１１０−２まで連続して薬剤保持部を設けた点で異なる。尚、このように設けた、薬剤塗布用部材１０２におけるバルーンについて符号１２２を付し、該バルーン１２２の外表面１２２ａに設ける薬剤保持部について、符号１２６を付す。
又、薬剤塗布用部材１０２では、先端部分１１０−１から中間部分１１０−２まで連続してバルーン１２２を設ける構成を採ることから、先端部分１１０−１が狭孔部５に位置した時点ではバルーン１２２の多くは鼻腔外に存在することから、バルーン１２２を膨らますことはできない。よって、先端部分１１０−１が狭孔部５に位置したときに、狭孔部５を麻酔する必要があることから、薬剤塗布用部材１０２では、薬剤保持部１２６は、狭孔部５の内面に接触可能な太さにて作製される。その他、バルーン１２２及び薬剤保持部１２６に使用する材料、及び図１０、図１１に示す変形例は、上記薬剤保持部１２５における場合と変わらずに適用可能である。又、薬剤塗布用部材１０２におけるその他の構成について、薬剤塗布用部材１０１と変わるところはない。又、上記中間部分１１０−２は、薬剤塗布用部材１０２における先端部分１１０−１に位置する薬剤保持部１２６ａが広孔部６に配置されたときに、狭孔部５に位置する部分である。
尚、図２に示す薬剤塗布用部材１０２の一実施例として、全長は約１５ｃｍであり、バルーン１２２及び薬剤保持部１２６は約１０ｃｍの長さを有する。
【００５３】
上述のように構成される薬剤塗布用部材１０２では、鼻腔に挿入し、先端部分１１０−１を狭孔部５に位置させ、先端部分１１０−１の薬剤保持部１２６ａにて狭孔部５に麻酔が効き始めるまで、薬剤保持部１２６ａを狭孔部５に留める。このとき、薬剤保持部１２６は、狭孔部５の内面に接触可能な太さにて作製されていることから、薬剤保持部１２６ａは、狭孔部５の内面に接触し、薬剤保持部１２６ａに含まれる麻酔薬が狭孔部５に塗布され、そして作用し、狭孔部５を麻酔させることができる。そして狭孔部５が麻酔された後、薬剤保持部１２６ａが広孔部６に位置するように薬剤塗布用部材１０２をさらに挿入し、薬剤保持部１２６ａが広孔部６に位置した時点で、バルーン１２２を膨らませる。バルーン１２２の膨張により、広孔部６に対して薬剤保持部１２６ａが接触し、麻酔薬が塗布され、広孔部６が麻酔される。さらにバルーン１２２の膨張により、狭孔部５及び広孔部６の両方が押し広げられ拡張される。
【００５４】
このような薬剤塗布用部材１０２においても、上述した薬剤塗布用部材１０１と同様に、狭孔部５及び広孔部６を予め拡張させることができ、かつ狭孔部５及び広孔部６を麻酔させることができる。
又、薬剤塗布用部材１０１では、薬剤保持部１２５が狭孔部５に配置されたときにのみ、狭孔部５は、薬剤保持部１２５にて麻酔された。一方、上記薬剤塗布用部材１０２では、上記先端部分１１０−１に位置する上記薬剤保持部１２６ａが広孔部６に配置されたときでも、上記中間部分１１０−２における薬剤保持部１２６ｂが狭孔部５の内面に接触した状態にある。したがって、薬剤塗布用部材１０２は、薬剤塗布用部材１０１に比べて、より効率的、効果的、及び持続的に、薬剤ここでは麻酔薬を狭孔部５に塗布することができる。
又、薬剤塗布用部材１０２では、薬剤塗布用部材１０１に比べて、バルーンの膨張動作が１回となることから、操作が簡易となり、又、処置時間も短くなり、及び被験者における不快さも軽減されるという効果がある。
【００５５】
さらに又、上述した薬剤塗布用部材１０２の変形例として、図３に示す薬剤塗布用部材１０３を構成することもできる。上述したように薬剤塗布用部材１０２では、先端部分１１０−１から中間部分１１０−２まで連続して設けたバルーン１２２に対応して、薬剤保持部１２６も先端部分１１０−１から中間部分１１０−２まで連続して設けた。これらに対し、薬剤塗布用部材１０３では、先端部分１１０−１にのみ薬剤保持部１２５を設ける構成を採る点で、薬剤塗布用部材１０２と異なる。薬剤塗布用部材１０３におけるその他の構成は、薬剤塗布用部材１０２の構成に同じである。
【００５６】
このように構成される薬剤塗布用部材１０３についても、薬剤塗布用部材１０２と同様の拡張及び麻酔動作が行われる。
該薬剤塗布用部材１０３では、先端部分１１０−１にのみ薬剤保持部１２５を設けているので、薬剤保持部１２５が広孔部６に位置したときの狭孔部５に対する麻酔作用は行われないが、薬剤保持部の長さが短い分、コスト低減を図ることができる。
【００５７】
さらに又、上記薬剤塗布用部材１０１の変形例として、図４に示す薬剤塗布用部材１０４を構成することもできる。薬剤塗布用部材１０１では、先端部分１１０−１にのみバルーン１２０及び薬剤保持部１２５を設けたが、薬剤塗布用部材１０４では、先端部分１１０−１に加え中間部分１１０−２にも、バルーン及び薬剤保持部を設けている。尚、中間部分１１０−２に設けたバルーンについて狭孔用バルーン１２１と名称付け、該狭孔用バルーン１２１の外表面に設けられる薬剤保持部について狭孔用薬剤保持部１２８と名称付ける。
【００５８】
このような構成を採ることで、先端部分１１０−１のバルーン１２０を膨らませ薬剤保持部１２５にて狭孔部５の拡張及び麻酔動作が行えることから、薬剤塗布用部材１０４の先端部分１１０−１に設けた薬剤保持部１２５、及び中間部分１１０−２に設ける狭孔用薬剤保持部１２８における太さは、狭孔部５よりも小さく、基材１１０もこれに対応した太さにて作製することができる。尚、これに限定されず、薬剤保持部１２５及び狭孔用薬剤保持部１２８における太さを、狭孔部５に接触可能な程度にて作製してもよい。
【００５９】
薬剤塗布用部材１０４の先端部分１１０−１には、薬剤塗布用部材１０１と同様に、バルーン１２０の外表面１２０ａの全周に筒状にてなる薬剤保持部１２５が設けられる。さらに、薬剤塗布用部材１０４の中間部分１１０−２にも、基材１１０の外表面１１０ｃの全周に筒状にてかつ外表面１１０ｃに対して気体密で膨張可能に狭孔用バルーン１２１が設けられる。狭孔用バルーン１２１は、バルーン１２０と同じ材料及び形状にてなり、又、動作、機能等について、上述したバルーン１２０と同じである。狭孔用バルーン１２１を膨張させるため、基材１１０の後端１１０ｂから基材１１０に沿って延在する第２気体通路１１６が設けられる。本実施形態では図示するように、第２気体通路１１６は、基材１１０内に形成しているが、その設置形態は、上述の気体通路１１５と同様に、種々の形態を採ることができる。
【００６０】
狭孔用バルーン１２１の外表面１２１ａには、狭孔用薬剤保持部１２８が接着剤等にて脱落しないように取り付けられる。狭孔用薬剤保持部１２８は、上述した薬剤保持部１２５と同じ材料、形態にてなり、同じ機能を有する。又、図１０、図１１に示す薬剤保持部の変形例は、狭孔用薬剤保持部１２８に対しても適用可能である。
又、薬剤塗布用部材１０４の中間部分１１０−２は、薬剤塗布用部材１０４における先端部分１１０−１に位置する薬剤保持部１２５が広孔部６に配置されたときに、狭孔部５に位置する部分である。
【００６１】
このように構成される薬剤塗布用部材１０４には、図１３に示すように、基材１１０の後端１１０ｂ側にて、気体通路１１５にバルブ１５０を介して気体供給器具１６０が取り付けられ、第２気体通路１１６にバルブ１５１を介して気体供給器具１６１が取り付けられて、薬剤塗布システム１７１が構成される。尚、気体供給器具１６１は、第２気体通路１１６を介して狭孔用バルーン１２１へ気体を供給し狭孔用バルーン１２１を膨らませる器具であり、例えば図示のように注射器を用いることができる。上記バルブ１５１は、気体が供給されたバルーン１２１について膨張状態を維持し、一方、薬剤塗布用部材１０４の体腔からの除去時にはバルーン１２１からの排気を可能にするためのものである。
【００６２】
このように構成される薬剤塗布用部材１０４は、以下のように使用される。尚、上述のように、薬剤塗布用部材１０４の先端部分１１０−１に配置される薬剤保持部１２５、中間部分１１０−２に配置される狭孔用薬剤保持部１２８、及び基材１１０の太さは、狭孔部５の孔径よりも小さく製作されている。
薬剤塗布用部材１０４の先端部分１１０−１に配置される薬剤保持部１２５が狭孔部５に配置されたとき、狭孔部５の内面に薬剤保持部１２５が接触するまでバルーン１２０を膨らませ、狭孔部５の麻酔を行う。さらに、該麻酔動作と同時あるいは動作後に、狭孔部５を拡張させる程度にバルーン１２０を膨張させ、狭孔部５を拡張させる。そして、バルーン１２０を膨らませた状態で、あるいは縮ませた状態で、薬剤保持部１２５を広孔部６に配置させ、広孔部６の内面に薬剤保持部１２５が接触するまでバルーン１２０を再び膨らませ、広孔部６の麻酔を行う。この広孔部６の麻酔動作と同時あるいは動作後に、広孔部６を拡張させる程度にバルーン１２０を膨張させ、広孔部６を拡張させる。
このとき、上記中間部分１１０−２における狭孔用薬剤保持部１２８は、狭孔部５に位置する。よって、第２気体通路１１６を通して気体を供給して、狭孔部５の内面に狭孔用薬剤保持部１２８が接触し、さらに狭孔部５を拡張させる程度にまで狭孔用バルーン１２１を膨らませ、再び狭孔部５の麻酔を行い、かつ狭孔部５を再び拡張させる。
【００６３】
上述のように、薬剤塗布用部材１０４では、先端部分１１０−１の薬剤保持部１２５、中間部分１１０−２の狭孔用薬剤保持部１２８、及び基材１１０の太さを、狭孔部５の孔径よりも小さく製作している。よって、被験者に与える苦痛が小さいことから、上述の使用方法に代えて、薬剤塗布用部材１０４の先端部分１１０−１における薬剤保持部１２５による狭孔部５の麻酔動作を省略し、いきなり薬剤保持部１２５を広孔部６に配置させるとともに、狭孔用薬剤保持部１２８を狭孔部５に配置し、バルーン１２０及び狭孔用バルーン１２１を共に膨らませて、広孔部６及び狭孔部５を同時に麻酔し、かつ拡張させてもよい。
尚、この使用方法を採る場合、薬剤塗布システムとしては、バルブ１５０、１５１の気体供給側を合流させて、一つの気体供給器具１６０にてバルーン１２０及び狭孔用バルーン１２１を共に膨らませる構成を採ることができる。
【００６４】
上述のように、薬剤塗布用部材１０４では、中間部分１１０−２に狭孔用バルーン１２１を設けて膨張させ狭孔用薬剤保持部１２８を狭孔部５の内面に接触可能とする構成を採ったことで、先端部分１１０−１の薬剤保持部１２５、中間部分１１０−２の狭孔用薬剤保持部１２８、及び基材１１０の太さを、狭孔部５の孔径よりも小さくすることが可能となる。したがって、被験者にとって鼻腔へ異物を挿入する際の違和感が少なく、被験者における苦痛の低減を図ることができる。
【００６５】
さらに又、上記薬剤塗布用部材１０１の変形例として、図１６に示す薬剤塗布用部材１９１を構成することもできる。薬剤塗布用部材１９１は、薬剤塗布用部材１０１に対し、薬剤保持部を、バルーン１２０の外表面１２０ａから基材１１０の中間部分１１０−２の外表面１１０ｃまでの全周にわたり連続した設けた構成を有する。又、先端部分１１０−１が広孔部６に位置するときに、中間部分１１０−２に存在する薬剤保持部が狭孔部５の内面に接触する必要があることから、先端部分１１０−１から中間部分１１０−２まで設けた薬剤保持部は、狭孔部５に接触可能な程度の太さにて作製される。尚、このように設けた、薬剤塗布用部材１９１における薬剤保持部について符号１９３を付す。又、薬剤保持部１９３において、先端部分１１０−１に対応する部分を薬剤保持部１９３ａとし、中間部分１１０−２に対応する部分を薬剤保持部１９３ｂとする。又、薬剤保持部１９３に使用する材料、及び図１０、図１１に示す変形例は、上述の各変形例における場合と同様に適用可能である。又、薬剤塗布用部材１９１におけるその他の構成について、薬剤塗布用部材１０１と変わるところはない。
【００６６】
このように構成される薬剤塗布用部材１９１は、以下のように使用される。即ち、上述の各変形例の場合と同様に、麻酔薬等を薬剤保持部１９３に塗布した後、薬剤塗布用部材１９１を鼻腔に挿入し、薬剤保持部１９３ａを狭孔部５に位置させる。薬剤保持部１９３ａを含み薬剤保持部１９３は、狭孔部５に接触可能な太さにて作製されていることから、薬剤保持部１９３ａにて狭孔部５は麻酔される。該麻酔動作と同時あるいは動作後に、狭孔部５を拡張させる程度にバルーン１２０を膨張させ、狭孔部５を拡張させる。そして、バルーン１２０を膨らませた状態で、あるいは縮ませた状態で、薬剤保持部１９３ａを広孔部６に配置させ、広孔部６の内面に薬剤保持部１９３ａが接触するまでバルーン１２０を再び膨らませ、広孔部６の麻酔を行う。この広孔部６の麻酔動作と同時あるいは動作後に、広孔部６を拡張させる程度にバルーン１２０を膨張させ、広孔部６を拡張させる。
このとき、上記中間部分１１０−２における薬剤保持部１９３ｂは、狭孔部５に位置して狭孔部５の内面に接触し、狭孔部５の麻酔を継続する。
【００６７】
上述の薬剤塗布用部材１９１によれば、先端部分１１０−１に位置する薬剤保持部１９３ａが広孔部６に位置したときでも中間部分１１０−２における薬剤保持部１９３ｂが狭孔部５の内面に接触した状態にある。よって、薬剤塗布用部材１９１は、薬剤塗布用部材１０１の場合に比べて、より効率的、効果的、及び持続的に、麻酔薬を狭孔部５に塗布することができる。
【００６８】
さらに又、薬剤塗布用部材１９１の変形例として、図１７に示す薬剤塗布用部材１９２を構成することもできる。薬剤塗布用部材１９１では、薬剤保持部１９３を先端部分１１０−１から中間部分１１０−２まで連続して設けたが、薬剤塗布用部材１９２は、薬剤保持部を先端部分１１０−１と中間部分１１０−２とにそれぞれ対応して分離して設けた。尚、中間部分１１０−２に対応して設けた薬剤保持部に符号１９４を付す。又、薬剤塗布用部材１９２においても、薬剤保持部１２５及び薬剤保持部１９４は、狭孔部５に接触可能な程度の太さにて作製される。薬剤塗布用部材１９２におけるその他の構成は、薬剤塗布用部材１９１と同じである。
【００６９】
このような薬剤塗布用部材１９２は、上述の薬剤塗布用部材１９１と同様の方法にて使用される。薬剤塗布用部材１９２では、薬剤塗布用部材１９１に比べて薬剤保持部の使用量が減少することから、コスト低減を図ることができる。
【００７０】
さらに又、上述したそれぞれの薬剤塗布用部材１０１〜１０４、１９１，１９２に対して、後端１１０ｂから基材１１０に沿って薬剤保持部１２５、１２６、及び狭孔用薬剤保持部１２８へ延在し、これらへ追加する薬剤を供給する薬剤通路を設けるようにしてもよい。即ち、図５は、薬剤塗布用部材１０１に対して薬剤通路１３０を設けた薬剤塗布用部材１０５の構成を図示し、図６は、薬剤塗布用部材１０２に対して薬剤通路１３０を設けた薬剤塗布用部材１０６の構成を図示し、図７は、薬剤塗布用部材１０３に対して薬剤通路１３０を設けた薬剤塗布用部材１０７の構成を図示し、図８は、薬剤塗布用部材１０４に対して薬剤通路１３０を設けた薬剤塗布用部材１０８の構成を図示している。尚、薬剤塗布用部材１９１，１９２に対する図示は省略する。
【００７１】
又、図１４には、一例として図５に示される薬剤通路１３０を有する薬剤塗布用部材１０５に対して、気体通路１１５にバルブ１５０を介して気体供給器具１６０を取り付け、薬剤通路１３０に薬剤供給器具１６２を取り付けてなる薬剤塗布システム１７２が示されている。該システム１７２では、薬剤供給器具１６２を使用して薬剤通路１３０を通して追加の薬剤を薬剤保持部１２５へ供給することができる。勿論、図６から図８に示す構成を有する薬剤塗布用部材に対して、さらには薬剤通路を有する薬剤塗布用部材１９１，１９２に対しても、気体供給器具１６０及び薬剤供給器具１６２を取り付けて薬剤塗布システムを構成することができる。
【００７２】
尚、図５〜図８に示す各実施形態では、薬剤通路１３０は、基材１１０内に形成しているが、通路の形状、形態は、図示の形状、形態に限定されず、例えば、細管を基材１１０の外表面１１０ｃに沿いかつ固定して、あるいは外表面１１０ｃとは分離して基材１１０とは別個に延在させる、等の形態を採ることもできる。
【００７３】
薬剤通路１３０の薬剤出口１３０ａは、図５、図７、図８に示すように、基材１１０の外表面１１０ｃの周囲にて、薬剤保持部１２５及び狭孔用薬剤保持部１２８の近傍に、好ましくは複数箇所にて設けられる。又、図６に示すように、薬剤保持部１２６ｂに直接、供給されるように薬剤出口１３０ａを設けることもできる。
【００７４】
このように薬剤通路１３０を設けることで、薬剤保持部１２５、１２６、及び狭孔用薬剤保持部１２８に必要に応じて薬剤を補充することができる。
【００７５】
さらに又、上述したそれぞれの薬剤塗布用部材１０１〜１０４に対して、基材１１０の後端１１０ｂから基材１１０に沿って延在し、基材１１０の先端１１０ａに開口し、上述の薬剤とは異なる作用を体腔へ与える第２薬剤を先端１１０ａへ供給する第２薬剤通路を設けるようにしてもよい。一例として、図９には、図５に示した薬剤通路１３０を有する薬剤塗布用部材１０５に対して第２薬剤通路１３５を設けた薬剤塗布用部材１０９の構成を図示している。図示を省略するが、図６に示す薬剤通路１３０を有する薬剤塗布用部材１０６に、図７に示す薬剤通路１３０を有する薬剤塗布用部材１０７に、図８に示す薬剤通路１３０を有する薬剤塗布用部材１０８に、それぞれ第２薬剤通路１３５を設けることもできる。又、図示を省略するが、図１に示す薬剤塗布用部材１０１に、図２に示す薬剤塗布用部材１０２に、図３に示す薬剤塗布用部材１０３に、図４に示す薬剤塗布用部材１０４に、又、薬剤通路を有する薬剤塗布用部材１９１，１９２に対しても、それぞれ第２薬剤通路１３５を設けることもできる。
【００７６】
又、図１５には、一例として図９に示される薬剤通路１３０を有する薬剤塗布用部材１０９に対して、気体通路１１５にバルブ１５０を介して気体供給器具１６０を取り付け、薬剤通路１３０に薬剤供給器具１６２を取り付け、第２薬剤通路１３５に第２薬剤供給器具１６３を取り付けてなる薬剤塗布システム１７３が示されている。該システム１７３では、第２薬剤供給器具１６３を使用して第２薬剤通路１３５を通して第２薬剤を体腔内面へ供給することができる。勿論、上述のように第２薬剤通路１３５を設けた構成を有する薬剤塗布用部材に対して第２薬剤供給器具１６３を取り付けて薬剤塗布システムを構成することができる。
【００７７】
尚、図示では、第２薬剤通路１３５は、基材１１０内に形成しているが、通路の形状、形態は、図示の形状、形態に限定されず、例えば、細管を基材１１０の外表面１１０ｃに沿いかつ固定して、あるいは外表面１１０ｃとは分離して基材１１０とは別個に延在させる、等の形態を採ることもできる。又、先端１１０ａにおける第２薬液通路１３５の出口についても図示の位置に限定するものではない。
【００７８】
又、上記第２薬剤の例としては、例えば、止血剤や、咽喉部に対する麻酔剤、等である。
上述のように第２薬剤通路１３５を設けることで、必要に応じて、体腔内面へ第２薬剤を供給することができ、利便性を向上させることができる。
【００７９】
尚、上述した、図１〜図４に示す各薬剤塗布用部材１０１〜１０４、並びに、図１６及び図１７に示す薬剤塗布用部材１９１、１９２における構成を適宜組み合わせた構成を採ることも可能である。
又、上述した各薬剤塗布用部材では、基材１１０の太さは、全長に渡り一様としたが、これに限定されず、薬剤の塗布等の利便のため、適宜、太さを変化させることもできる。
【産業上の利用可能性】
【００８０】
本発明は、例えば、経鼻的内視鏡を鼻腔に挿入する前に鼻腔部分を麻酔するために鼻腔に挿入され鼻腔部分の麻酔を行うための薬剤塗布用部材、及び該薬剤塗布用部材を備えた薬剤塗布システムに適用可能である。
【図面の簡単な説明】
【００８１】
【図１】本発明の一実施形態における薬剤塗布用部材の一例における断面図である。
【図２】図１に示す薬剤塗布用部材の変形例における断面図である。
【図３】図１又は図２に示す薬剤塗布用部材の変形例における断面図である。
【図４】図３に示す薬剤塗布用部材の変形例における断面図である。
【図５】図１に示す薬剤塗布用部材の他の変形例における断面図である。
【図６】図２に示す薬剤塗布用部材の他の変形例における断面図である。
【図７】図３に示す薬剤塗布用部材の他の変形例における断面図である。
【図８】図４に示す薬剤塗布用部材の他の変形例における断面図である。
【図９】図１に示す薬剤塗布用部材のさらに他の変形例における断面図である。
【図１０】図１から図４に示す薬剤塗布用部材の薬剤保持部の一変形例における断面図である。
【図１１】図１から図４に示す薬剤塗布用部材の薬剤保持部の他の変形例における断面図である。
【図１２】図１に示す薬剤塗布用部材を備えた薬剤塗布システムの構成を示す図である。
【図１３】図４に示す薬剤塗布用部材を備えた薬剤塗布システムの構成を示す図である。
【図１４】図５に示す薬剤塗布用部材を備えた薬剤塗布システムの構成を示す図である。
【図１５】図９に示す薬剤塗布用部材を備えた薬剤塗布システムの構成を示す図である。
【図１６】図１に示す薬剤塗布用部材のさらに他の変形例における断面図である。
【図１７】図１６に示す薬剤塗布用部材の変形例における断面図である。
【図１８】鼻腔の構造を示す断面図である。
【図１９】鼻腔内の麻酔用に使用される管を示す斜視図である。
【符号の説明】
【００８２】
１０１〜１０４…薬剤塗布用部材、
１１０…基材、１１０ａ…先端、１１０ｂ…後端、
１１０−１…先端部分、１１０−２…中間部分、
１１５…気体通路、１１６…第２気体通路、１２０…バルーン、１２０ａ…外表面、
１２１…狭孔用バルーン、１２１ａ…外表面、１２５…薬剤保持部、
１２７、１２８…狭孔用薬剤保持部、１２９−１…凹部、
１３０…薬剤通路、１３５…第２薬剤通路、
１５０，１５１…バルブ、１６０，１６１…気体供給器具。
【図１】
2008188212.tif 000003
【図２】
2008188212.tif 000004
【図３】
2008188212.tif 000005
【図４】
2008188212.tif 000006
【図５】
2008188212.tif 000007
【図６】
2008188212.tif 000008
【図７】
2008188212.tif 000009
【図８】
2008188212.tif 000010
【図９】
2008188212.tif 000011
【図１０】
2008188212.tif 000012
【図１１】
2008188212.tif 000013
【図１２】
2008188212.tif 000014
【図１３】
2008188212.tif 000015
【図１４】
2008188212.tif 000016
【図１５】
2008188212.tif 000017
【図１６】
2008188212.tif 000018
【図１７】
2008188212.tif 000019
【図１８】
2008188212.tif 000020
【図１９】
2008188212.tif 000021